(57)【要約】【課題】  腕の力が弱った人などでも安定した歩行が可能なウォーキングステッキを提供する。【解決手段】  長尺のシャフト２と、このシャフト２の上端部にＴ字状に取り付けられるグリップ３と、により構成されるウォーキングステッキ１において、グリップ３を手で握ったときにその腕を支持するための腕支持部材５をシャフト２に着脱自在に取り付けた構成とする。【選択図】  図２
2007014613.tif 000002
【特許請求の範囲】
【請求項１】
長尺のシャフトと、このシャフトの上端部にＴ字状に取り付けられるグリップと、により構成されるウォーキングステッキにおいて、
上記グリップを手で握ったときにその腕を支持するための腕支持部材を上記シャフトに取り付けたことを特徴とするウォーキングステッキ。
【請求項２】
上記腕支持部材は、上記シャフトに対し着脱自在であることを特徴とする請求項１に記載のウォーキングステッキ。
【発明の詳細な説明】
【技術分野】
【０００１】
本発明は歩行補助用のウォーキングステッキに関し、より安定した歩行を可能としたものである。
【背景技術】
【０００２】
一般に歩行補助用のウォーキングステッキは、例えば下記の特許文献１に開示されるもののように、シャフトと、このシャフトの上端部に取り付けられるグリップと、により構成されている。ここでシャフトは任意の長さに伸縮調整可能な軽金属材やカーボン材等によりなるパイプで構成され、このシャフトの上端部にグリップがＴ字状に取り付けられており、使用者はこのグリップを手で握り、シャフトの先端で地面を突きながら歩行するものである。
このようなウォーキングステッキは、トレッキング用に広く普及されているが、近年では老人や障害者のための介護用ステッキとしても広く用いられてきている。
【特許文献１】特開２００５−１２４９８２号公報
【発明の開示】
【発明が解決しようとする課題】
【０００３】
しかしながら、上記のような従来のウォーキングステッキを使用する人の中で、特に腕の力が弱った人などは、ウォーキングステッキをうまく操作することができず、ふらつきながら使用していた。
【０００４】
本発明は斯かる点に鑑みてなされたもので、腕の力が弱った人などでも安定した歩行が可能なウォーキングステッキを提供することを目的としている。
【課題を解決するための手段】
【０００５】
上記の目的を達成するため本発明は、
長尺のシャフトと、このシャフトの上端部にＴ字状に取り付けられるグリップと、により構成されるウォーキングステッキにおいて、
グリップを手で握ったときにその腕を支持するための腕支持部材をシャフトに取り付けてなるものである。
さらにこのウォーキングステッキにおいて腕支持部材は、シャフトに対し着脱自在とすることが望ましい。
【発明の効果】
【０００６】
上記の如く構成される本発明のウォーキングステッキでは、腕支持部材によって腕が支持された状態でグリップを握ることにより、腕の力が弱った人などでもウォーキングステッキをうまく操作できるので、従来のようなふらつきを解消し、より安定した歩行が可能となる。
またこのウォーキングステッキでは、腕支持部材を着脱自在とすることにより、腕支持部材が不必要なときにはこれを取り外して普通のウォーキングステッキとして使用することができる。
【発明を実施するための最良の形態】
【０００７】
以下、図面を参照しながら本発明の実施例について詳細に説明する。
図１は本発明によるウォーキングステッキの全体構成を示す側面図、図２はこのウォーキングステッキの使用状態の説明図である。
【０００８】
図１に示す如く、本発明によるウォーキングステッキ１は、シャフト２と、このシャフト２の上端部に取り付けられるグリップ３と、により構成されている。ここでシャフトは任意の長さに伸縮調整可能なアルミニウム等の軽金属材やカーボン材等によりなるパイプで構成され、このシャフト２の上端部にグリップ３がＴ字状に取り付けられており、使用者はこのグリップ３を手で握り、シャフト２の先端で地面を突きながら歩行するものである。
【０００９】
この構成においてシャフト２は複数段２ａ，２ｂで構成されて伸縮調整可能となっており、またシャフト２の先端(下端)にはゴム等によりなる滑り止め部材４が取り付けられている。またグリップ３は木材あるいは合成樹脂によりなり、使用者の握り易さを考慮した形状に成形されている。
【００１０】
そして特にこのウォーキングステッキ１においては、グリップ３を手で握ったときにその腕を支持するための腕支持部材５がシャフト２に取り付けられている。この腕支持部材５は、シャフト３の上部に傾斜状に取り付けられる延長シャフト６と、この延長シャフト６の上端部に取り付けられる腕帯７と、により構成される。
【００１１】
この構成において延長シャフト６は、シャフト２と同じく軽金属製パイプで構成されており、その下端部において金属製の取付板８と螺子９，１０を介してシャフト２の上部に着脱自在に取り付けられる。腕帯７は、腕を抱持する環状のプラスチックあるいは金属製の成形品であり、連結軸１１を介して延長シャフト６の上端部に回動可能に連結されている。なお、この構成において腕帯７は、延長シャフト６に対し固定状態に取り付けるようにしてもよい。
【００１２】
そして、以上の如く構成される本例のウォーキングステッキ１を使用する際には、図２に示すように、腕支持部材５の腕帯７に腕を通した状態でグリップ３を手で握り、その状態でシャフト２の先端で地面を突きながら歩行するようにする。
【００１３】
このように腕支持部材５の腕帯７によって腕が支持された状態でグリップ３を握ることにより、腕の力が弱った人などでもウォーキングステッキ１をうまく操作できるので、歩行中にふらつくことはなく、より安定した歩行が可能となる。
【００１４】
またこのウォーキングステッキ１は、腕支持部材５がシャフト２に対し着脱自在に取り付けられているので、腕の支持が不必要なときには螺子９を外してシャフト２から腕支持部材５を取り外すことにより、普通のウォーキングステッキとして使用することができる。
【００１５】
さらにこのウォーキングステッキ１において、例えば螺子９が螺合する螺子穴をシャフト２の長さ方向に多数形成して、シャフト２に対する腕支持部材５の取り付け位置を調整できるような構成としてもよい。このような構成とすることにより、腕支持部材５の位置を使用者にとって最適な位置に合わせることができるので、より使い易いウォーキングステッキを提供することができる。
【００１６】
なお、上記の実施例では、シャフト２に対し腕支持部材５を、取付板８と螺子９，１０を介して着脱自在に取り付けた構成としてあるが、この構成に限ることなく、他にも例えば嵌め込み式の結合部材を介してシャフト２に対し腕支持部材５を着脱自在に取り付けた構成としてもよい。
【図面の簡単な説明】
【００１７】
【図１】本発明によるウォーキングステッキの全体構成を示す側面図である。
【図２】本発明によるウォーキングステッキの使用状態の説明図である
【符号の説明】
【００１８】
１…ウォーキングステッキ
２…シャフト
３…グリップ
５…腕支持部材
６…延長シャフト
７…腕帯
【図１】
2007014613.tif 000003
【図２】
2007014613.tif 000004
【手続補正書】
【提出日】平成18年3月29日(2006.3.29)
【手続補正１】
【補正対象書類名】明細書
【補正対象項目名】００１１
【補正方法】変更
【補正の内容】
【００１１】
この構成において延長シャフト６は、シャフト２と同じ軽金属製パイプや、硬質の合成樹脂、ＦＲＰ(ガラス繊維強化樹脂)等のパイプまたは棒で構成されており、その下端部において金属製の取付板８と螺子９，１０を介してシャフト２の上部に着脱自在に取り付けられる。腕帯７は、腕を抱持する環状のプラスチックあるいは金属製の成形品であり、連結軸１１を介して延長シャフト６の上端部に回動可能に連結されている。なお、この構成において腕帯７は、延長シャフト６に対し固定状態に取り付けるようにしてもよい。
【手続補正２】
【補正対象書類名】明細書
【補正対象項目名】００１５
【補正方法】変更
【補正の内容】
【００１５】
さらにこのウォーキングステッキ１において、例えば螺子９が螺合する螺子穴をシャフト２の長さ方向に多数形成して、シャフト２に対する腕支持部材５の取り付け位置を調整できるような構成としてもよい。このような構成とすることにより、腕支持部材５の位置を使用者にとって最適な位置に合わせることができるので、より使い易いウォーキングステッキを提供することができる。さらにこのウォーキングステッキ１では、腕支持部材５の延長シャフト６を伸縮可能とし、腕帯７の高さ位置を最適な位置に調整できる構成としてもよい。